(57)【要約】      （修正有）【課題】狭額縁化と均一な表示品位を両立でき、液晶表示パネルとバックライトとの安定な接合も可能な液晶表示装置を提供する。【解決手段】液晶表示パネルと、該液晶表示パネルに光を照射するバックライトとを有する液晶表示装置において、該バックライトは、発光素子（不図示）と、該発光素子からの出射光を導光する導光板ＬＧと、少なくとも該導光板を保持するフレームＭＤとを備え、該導光板の側端部の少なくとも一部は、その断面がテーパ形状を有し、該テーパ形状の、該導光板の底面と該導光板の側面とが形成するテーパ角θは、３６度以上、５１．３度以下であり、該フレームＭＤで、該導光板の該テーパ形状をした側端部に対応する部分は、該導波板の側面と該フレームの側面とが所定の間隔で対向するように、該導波板と同様に、断面がテーパ形状に形成される。【選択図】図２
2015060110.tif 000002
【特許請求の範囲】
【請求項１】
液晶表示パネルと、該液晶表示パネルに光を照射するバックライトとを有する液晶表示装置において、
該バックライトは、発光素子と、該発光素子からの出射光を導光する導光板と、少なくとも該導光板を保持するフレームとを備え、
該導光板の側端部の少なくとも一部は、その断面がテーパ形状を有し、
該テーパ形状の、該導光板の底面と該導光板の側面とが形成するテーパ角は、３６度以上、５１．３度以下であり、
該フレームで、該導光板の該テーパ形状をした側端部に対応する部分は、該導波板の側面と該フレームの側面とが所定の間隔で対向するように、該導波板と同様に、断面がテーパ形状に形成されていることを特徴とする液晶表示装置。
【請求項２】
請求項１に記載の液晶表示装置において、該導光板の厚さは、０．２５ｍｍ以上、０．４５ｍｍ以下であることを特徴とする液晶表示装置。
【請求項３】
請求項１又は２に記載の液晶表示装置において、該導光板の側端部は、少なくとも対向する２辺に該テーパ形状が形成されていることを特徴とする液晶表示装置。
【請求項４】
請求項１乃至３のいずれかに記載の液晶表示装置において、該液晶表示パネルが、有効表示領域を確定するブラックマトリックスを備え、該導光板の該テーパ形状を形成する側面の延長線が、該ブラックマトリックスルの形成領域内に位置するよう、該テーパ形状の位置及びテーパ角を設定することを特徴とする液晶表示装置。
【発明の詳細な説明】
【技術分野】
【０００１】
本発明は、液晶表示装置に関し、特に、バックライトを備えた液晶表示装置に関する。
【背景技術】
【０００２】
液晶表示装置は薄型、軽量、低消費電力であることから、携帯電話、携帯情報端末（ＰＤＡ）、デジタルカメラ、マルチメディアプレーヤーなど、多くの携帯型の情報機器の表示装置に利用されている。
【０００３】
そして、近年のスマートフォン等の携帯電話やタブレット端末の大画面化等に伴い、液晶表示パネル（ＬＣＤ）における有効表示領域以外の領域である額縁部分の狭小化に対する要求が高まっている。
【０００４】
図１は従来の液晶表示装置の額縁部分を含む断面図の一部である。液晶表示パネルは、図１に示すように、液晶を挟持するＴＦＴ基板（ＴＦＴＳ）とカラーフィルタ基板（ＣＦＳ）、両基板の外側に配置される上偏光板（ＰＰ１）と下偏光板（ＰＰ２）から構成される。また、液晶表示パネルは、図１に示すように、画像や動画を表示させる有効表示領域（ＤＡ）と、有効表示領域外の額縁部分とに分かれている。有効表示領域（ＤＡ）を画定しているのがブラックマトリクス（ＢＭ）である。
【０００５】
液晶表示パネルの裏面には、液晶表示パネルに光を照射するバックライトが配置される。図１では、発光ダイオードなどの光源からの照明光を液晶表示パネルに導く導光板（ＬＧ）とそれを保持するための樹脂等で形成されたモールドフレーム（ＭＤ。通常は白色のプラスチックが使用される）を示している。また、液晶表示パネルとバックライトとの接合は、下偏光板（ＰＰ２）とモールドフレーム（ＭＤ）とを粘着材である遮光テープ（ＳＴ）で貼り合わせることで行っている。
【０００６】
導光板については、組み立ての精度や安定した表示品位の実現のために、導光板の端部が有効表示の境界Ｌより外部に出るはみ出し寸法ａを、少なくとも０．４ｍｍ以上確保する必要がある。また、導光板（ＬＧ）と、導光板を保持するモールドフレーム（ＭＤ）とのクリアランスｂは、通常０．０５ｍｍ程度である。
【０００７】
一方、液晶表示パネルでは、ＴＦＴ基板（カラーフィルタ基板）に貼り付けられる偏光板は、寸法精度や貼り付け精度の観点から、当該基板より０．２ｍｍ程度小さくする必要がある。これは、図１の符号ｃの部分に相当する。
【０００８】
仮に、液晶表示パネルの額縁寸法ｄが１．０ｍｍ以下となった場合、下偏光板（ＰＰ２）とモールドフレーム（ＭＤ）との貼り合わせに有効な部分の幅ｅは、０．３５ｍｍ以下となる。このため、偏光板の貼り付け精度や液晶表示パネルとバックライトとの組み立て精度によっては、遮光テープ（ＳＴ）による貼り合わせ領域をほとんど確保できないという問題を生ずる。
【０００９】
表示装置としての最外形は大きくすることができないため、遮光テープ（ＳＴ）による貼り合わせ領域を確保するため、導光板（ＬＧ）のはみ出し寸法ａを小さくすることも考えられる。しかしながら、この寸法ａを小さくすると、導光板の端部が光の反射によって光っており、表示装置を斜めから見た際に均一な表示が実現できなくなる。このように、液晶表示装置では、狭額縁化と均一な表示品位の両立が困難な状況にあった。
【発明の概要】
【発明が解決しようとする課題】
【００１０】
本発明が解決しようとする課題は、上記の問題を解決し、狭額縁化と均一な表示品位を両立でき、液晶表示パネルとバックライトとの安定な接合も可能な液晶表示装置を提供することである。
【課題を解決するための手段】
【００１１】
上記課題を解決するため、本発明の液晶表示装置は、以下のような技術的特徴を有している。
（１）  液晶表示パネルと、該液晶表示パネルに光を照射するバックライトとを有する液晶表示装置において、該バックライトは、発光素子と、該発光素子からの出射光を導光する導光板と、少なくとも該導光板を保持するフレームとを備え、該導光板の側端部の少なくとも一部は、その断面がテーパ形状を有し、該テーパ形状の、該導光板の底面と該導光板の側面とが形成するテーパ角は、３６度以上、５１．３度以下であり、該フレームで、該導光板の該テーパ形状をした側端部に対応する部分は、該導波板の側面と該フレームの側面とが所定の間隔で対向するように、該導波板と同様に、断面がテーパ形状に形成されていることを特徴とする。
【００１２】
（２）  上記（１）に記載の液晶表示装置において、該導光板の厚さは、０．２５ｍｍ以上、０．４５ｍｍ以下であることを特徴とする。
【００１３】
（３）  上記（１）又は（２）に記載の液晶表示装置において、該導光板の側端部は、少なくとも対向する２辺に該テーパ形状が形成されていることを特徴とする。
【００１４】
（４）  上記（１）乃至（３）のいずれかに記載の液晶表示装置において、該液晶表示パネルが、有効表示領域を確定するブラックマトリックスを備え、該導光板の該テーパ形状を形成する側面の延長線が、該ブラックマトリックスルの形成領域内に位置するよう、該テーパ形状の位置及びテーパ角を設定することを特徴とする。
【発明の効果】
【００１５】
本発明によれば、液晶表示パネルと、該液晶表示パネルに光を照射するバックライトとを有する液晶表示装置において、該バックライトは、発光素子と、該発光素子からの出射光を導光する導光板と、少なくとも該導光板を保持するフレームとを備え、該導光板の側端部の少なくとも一部は、その断面がテーパ形状を有し、該テーパ形状の、該導光板の底面と該導光板の側面とが形成するテーパ角θは、３６度以上、５１．３度以下であり、該フレームで、該導光板の該テーパ形状をした側端部に対応する部分は、該導波板の側面と該フレームの側面とが所定の間隔で対向するように、該導波板と同様に、断面がテーパ形状に形成されているため、狭額縁化と均一な表示品位を両立できると共に、液晶表示パネルとバックライトとの安定な接合も可能な液晶表示装置を提供することができる。
【図面の簡単な説明】
【００１６】
【図１】従来の液晶表示装置を説明する断面図である。
【図２】本発明の液晶表示装置の実施例を説明する図である。
【発明を実施するための形態】
【００１７】
以下、本発明の液晶表示装置について好適例を用いて詳細に説明する。
図２に示すように、本発明は、液晶表示パネルと、該液晶表示パネルに光を照射するバックライトとを有する液晶表示装置において、該バックライトは、発光素子（不図示）と、該発光素子からの出射光を導光する導光板（ＬＧ）と、少なくとも該導光板を保持するフレーム（ＭＤ）とを備え、該導光板の側端部の少なくとも一部は、その断面がテーパ形状を有し、該テーパ形状の、該導光板の底面と該導光板の側面とが形成するテーパ角θは、３６度以上、５１．３度以下であり、該フレーム（ＭＤ）で、該導光板の該テーパ形状をした側端部に対応する部分は、該導波板の側面と該フレームの側面とが所定の間隔で対向するように、該導波板と同様に、断面がテーパ形状に形成されていることを特徴とする。
【００１８】
液晶表示パネルは、図２では、液晶表示パネルは、上偏光板（ＰＰ１）、カラーフィルタ基板（ＣＦＳ）、ＴＦＴ基板（ＴＦＴＳ）及び下偏光板（ＰＰ２）から構成されている。本発明の液晶表示装置には、これ以外の液晶表示パネルの構成を採用することができることは、言うまでもない。なお、図２では、図１と同じ部品・部位については、同様の符号を付している。
【００１９】
本発明による液晶表示装置の額縁部分が、図１に示す従来の液晶表示装置の額縁部分と異なる点は、導光板が、上面から下面に向けて、テーパ角θで広がるテーパ形状を有する点である。このように導光板の端部をテーパ形状とすることで、液晶表示装置のサイズを大きくすることなく、液晶表示パネルとバックライトとの接合領域を十分に確保することができる。
【００２０】
図２において、導光板の上面の端部が有効表示の境界Ｌより外部に出るはみ出し寸法ａについては、少なくとも０．２ｍｍ程度確保することが必要である。これは、液晶表示パネルとバックライトの組み立て精度が約０．１５ｍｍであり、導光板の寸法公差が約０．０５ｍｍあると仮定した場合である。
【００２１】
そして、図１と同様に、導光板（ＬＧ）と、導光板を保持するモールドフレーム（ＭＤ）とのクリアランスｂを、０．０５ｍｍ程度とし、ＴＦＴ基板（ＴＦＴＳ）と下偏光板（ＰＰ２）とのエッジの寸法差ｃを０．２ｍｍ程度とする。このような条件で、額縁部分の幅ｄを１．０ｍｍとすると、下偏光板（ＰＰ２）とモールドフレーム（ＭＤ）との貼り合わせに有効な部分の幅ｅは、０．５５ｍｍを確保することが可能となる。これにより、狭額縁化を実現しながら、液晶表示パネルとバックライトとの接合強度を十分に確保することができる。
【００２２】
さらに、液晶表示画面を斜め方向から見た際に導光板端から光が反射して明るく見えるのを抑制するため、導光板の端部における導光板の出射面（上面）が光を全反射することが好ましい。この全反射条件を満足するため、テーパ角θの上限値を設定する。
【００２３】
導光板にポリカーボネート材（屈折率ｎ＝１．６）を用い、導光板と空気層との境界面で全反射する条件をスネルの法則を用いて算出すると、テーパ角θは５１．３度と算出される。テーパ角θが、これらの臨界角よりも小さい角度であれば、導光板の端部では光は全反射となるため、表示部に影響を与えず均一な表示が可能となる。
【００２４】
次に、テーパ角の下限値について説明する。導光板（ＬＧ）の下側には、反射シート（不図示）が配置される。反射シートは、モールドフレーム（ＭＤ）の下面側に、粘着材で固定されている。この反射シートの貼り付け領域を確保するため、図２のモールドフレームの下面の幅ｇを０．２ｍｍ以上に設定することが必要である。
【００２５】
また、導光板（ＬＧ）の厚みｔについては、任意の厚さを選択できる。ただし、薄くなり過ぎると、モールドフレーム（ＭＤ）の厚みも薄くする必要があり、モールドフレームの加工性や機械的強度の低下を考慮して、導光板の厚みｔは０．２５ｍｍ以上とすることが好ましい。また、厚くし過ぎると、液晶表示装置全体の厚みが増すため、０．４５ｍｍ以下とすることが好ましい。
【００２６】
仮に、導光板（ＬＧ）の厚みｔを０．４ｍｍ程度とし、同程度の厚みをモールドフレームが備えた場合には、テーパ角θは、３６度となる。ただし、額縁部分の幅ｄを１．０ｍｍとし、モールドフレームの外縁と液晶表示パネルの外縁とが同じと仮定した。以上により、テーパ角θは３６度以上、５１．３度以下とすることが好ましい。
【００２７】
さらに、液晶表示パネルが有効表示領域を確定するブラックマトリックス（ＢＭ）を備え、導光板（ＬＧ）のテーパ形状を形成する側面の延長線（図中のテーパ部分からブラックマトリックスに向かって伸びる点線）が、該ブラックマトリックスルの形成領域内に位置するよう、該テーパ形状の位置及びテーパ角を設定することが好ましい。これにより、導光板（ＬＧ）とモールドフレーム（ＭＤ）との間に漏れた光が液晶表示パネル側に向かっても、ブラックマトリックス（ＢＭ）で遮蔽され、均一な表示を実現することが可能となる。
【００２８】
なお、当該延長線とブラックマトリックスとの接点は、単純に延長したＰ２点であっても良いし、偏光板表面のＯ点での屈折を考慮したＰ１点であっても良い。さらにＴＦＴ基板での屈折率を考慮することも可能である。
【００２９】
以上の説明では、導光板の一辺にテーパ形状を形成する例について説明したが、発光ダイオードなどの光源と対向する端面を除き、他の三辺のいずれでも、当該構成を採用することが可能である。特に、導光板の側端部は、少なくとも対向する２辺にテーパ形状を形成することで、導光板（ＬＧ）をモールドフレーム（ＭＤ）に組み込む際の位置合わせが容易にでき、より好ましい。
【００３０】
以上本発明について実施例に基づいて説明したが、本発明はこれらに限定されることはなく、本発明の趣旨を逸脱しない範囲で適宜設計変更可能であることはいうまでもない。
【産業上の利用可能性】
【００３１】
本発明によれば、狭額縁化と均一な表示品位を両立でき、液晶表示パネルとバックライトとの安定な接合も可能な液晶表示装置を提供することが可能になる。
【符号の説明】
【００３２】
ＢＭ  ブラックマトリックス
ＣＦＳ  カラーフィルタ基板
ＤＡ  有効表示領域
ＬＧ  導光板
ＭＤ  モールドフレーム
ＰＰ１  上偏光板
ＰＰ２  下偏光板
ＳＴ  遮光テープ
ＴＦＴＳ  ＴＦＴ基板
【図１】
2015060110.tif 000003
【図２】
2015060110.tif 000004